(57)【要約】      （修正有）【課題】ケーブル接続を特定するネットワークシステムを提供する。【解決手段】ネットワークシステム１００は、管理サーバ１３０、サーバ装置１６０及び記憶装置１９０を有する。管理サーバは、システム管理ソフトウエアを有する。サーバ装置は、管理サーバに接続される。サーバ装置は、管理サーバのシステム管理ソフトウエアとやり取りするように構成されるＢＭＣを有する。記憶装置は、記憶装置をサーバ装置に接続するストレージケーブル１７０を受けるように構成される少なくとも１つのケーブルポート１８１Ｎを有する。ケーブルポートは、不揮発性メモリ１９１Ｎ、インジケータＬＥＤ１８０Ｎ、及びＩ２Ｃバス１９５Ｎを有する。【選択図】図１Ａ
2019220128.tif 000002
【特許請求の範囲】
【請求項１】
ケーブル接続を特定するネットワークシステムであって、
システム管理ソフトウエアを有する管理サーバ、
前記管理サーバに接続され、前記管理サーバのシステム管理ソフトウエアとやり取りするように構成されるＢＭＣを有するサーバ装置、及び
少なくとも１つの記憶装置、
を有し、
前記記憶装置は、該記憶装置を前記サーバ装置に接続するストレージケーブルを受けるように構成される少なくとも１つのケーブルポートを有し、かつ、
前記ケーブルポートは、不揮発性メモリ、インジケータ光、及びＩ２Ｃバスを有する、
ネットワークシステム。
【請求項２】
請求項１に記載のネットワークシステムであって、前記記憶装置はＤＡＳストレージを有する、ネットワークシステム。
【請求項３】
請求項１に記載のネットワークシステムであって、前記少なくとも１つの記憶装置は、ＲＡＩＤアレイとして、ＪＢＯＤ、ＪＢＯＦ、ＪＢＯＧ、及び／又は上記の結合のうちの少なくとも１つを含む、ネットワークシステム。
【請求項４】
請求項１に記載のネットワークシステムであって、前記システム管理ソフトウエアは、前記サーバ装置のＢＭＣへ、ケーブルＩＤを有するＩＰＭＩ  ＯＥＭ命令を送るように構成される、ネットワークシステム。
【請求項５】
請求項１に記載のネットワークシステムであって、前記ストレージケーブルはＭｉｎｉＳＡＳ  ＨＤケーブルを有する、ネットワークシステム。
【請求項６】
請求項５に記載のネットワークシステムであって、前記ＭｉｎｉＳＡＳ  ＨＤケーブルは、前記少なくとも１つの記憶装置のケーブルポートを前記サーバ装置のイーサネットネットワークインターフェースへ接続する、ネットワークシステム。
【請求項７】
ケーブルＩＤを認証する方法であって、
ケーブルＩＤを有するＩＰＭＩ  ＯＥＭ命令をサーバ装置上のＢＭＣで受ける段階、前記の受けたケーブルＩＤと一致する少なくとも１つの記憶装置の不揮発性メモリの予約ビット値を前記ＢＭＣから受ける段階、
前記少なくとも１つの記憶装置に挿入されたストレージケーブルからケーブルＩＤを検出する段階、
前記ストレージケーブルからの前記ケーブルＩＤが前記の受けたケーブルＩＤと一致するのか否かを判断する段階、
前記ストレージケーブルから前記ケーブルＩＤが前記の受けたケーブルＩＤと一致すると判断するときに、前記少なくとも１つの記憶装置でインジケータ光を始動させる段階、
前記ストレージケーブルから前記ケーブルＩＤが前記の受けたケーブルＩＤと一致しないと判断するときに、前記少なくとも１つの記憶装置でインジケータ光を不稼働にする段階、
を有する方法。
【請求項８】
請求項７に記載の方法であって、前記記憶装置はＤＡＳストレージを有する、方法。
【請求項９】
請求項７に記載の方法であって、前記ストレージケーブルはＭｉｎｉＳＡＳ  ＨＤケーブルを有する、方法。
【請求項１０】
請求項７に記載の方法であって、前記少なくとも１つの記憶装置は、ＲＡＩＤアレイとして、ＪＢＯＤ、ＪＢＯＦ、ＪＢＯＧ、及び／又は上記の結合のうちの少なくとも１つを含む、方法。
【発明の詳細な説明】
【技術分野】
【０００１】
本願は、適切なケーブルアセンブリを検出してアセンブリと問題の診断を改善するサーバーデバイス及び方法に関する。
【背景技術】
【０００２】
情報システムの分野では、機器を接続することは面倒な仕事である。場合によっては、情報処理機器は、コネクタを介してケーブルによって接続される。また場合によっては、ケーブルは、多数のピンを有するボードに接続される。そのような接続の一例は、コンピュータ周辺機器と主コンピュータすなわちホストコンピュータとの間の接続である。周辺機器から延びるコネクタが、一致するコネクタ又はボード上のピンに適切に接続されることを保証するのは通常は大変である。
【０００３】
システムが、不適切に接続された機器によって電源投入されるとき、主システム−たとえばパーソナルコンピュータ−は動作しない。管理者又はシステム所有者は、機器を取り外して問題を診断するか、あるいは、カスタマーサポートラインに電話をかけて問題の解決策を探すことになるだろう。いずれも時間のかかる方法である。ケーブルを何度も接続しようとしてもうまく行かないと、接続ピンが壊れたり、接地電位への電源の接続が適切に行えなかったり、あるいは、取り扱いに注意の必要な回路へ高電圧が不適切に接続される形態のコンピュータ又は周辺機器に損傷が生じる恐れがある。
【０００４】
そのような問題を緩和するため、製造者は一般的に、各コネクタの位置を表す図を提供する。これらの図は、システムのサイズに依存してかなり複雑になる恐れがある。またこれらの図は、コネクタへのケーブル適切な方位を示していない。さらにこの方法は、接続前のユーザーへのガイダンスを提供するものでしかない。一旦間違った接続が行われると、製造者が提供した図は、接続の補修の手助けにはならない。
【０００５】
製造者はまた一般的に、不正確な接続を防止するためにコネクタまで延びるケーブルの絶縁の一部にカラーコーティングを用いる。色による識別は、ユーザーがコネクタ上の特定のピンを正確に識別するのを助けることができるが、コネクタが取り付けられる部分−たとえばマザーボード−は、コネクタを一致させるための色識別をしていない恐れがある。他の従来方法同様、この方法も、接続を確立する前にユーザーを補助するだけであり、接続を補修する手助けにはならない。
【０００６】
従って適切なケーブル接続を容易にするシステム及び方法が必要となる。具体的には、適切なケーブル接続を特定するために、不正確なケーブル接続を補修するための情報を提供するシステム及び方法が必要となる。
【０００７】
それに加えて特許文献１には、ワイヤレス及びスマートを組み合わせたカードログイン認証用のシステム、方法、及び非一時的コンピュータ可読媒体が開示されている。その方法は、スマートカードを有効化することで有効化を実現し、前記有効化に基づいて遠隔デバイスとのワイヤレス接続を確立することを開示している。その方法はさらに、スマートカードパスコードを受け取る段階、前記スマートカードパスコードを認証することで認証を実現する段階、及び、前記認証に基づいてサーバーのベースボード管理制御装置への前記遠隔デバイスのアクセスを前記サーバーで認証する段階を有してよい。
【先行技術文献】
【特許文献】
【０００８】
【特許文献１】台湾特許出願公開第２０１７２３９１２号明細書
【発明の概要】
【発明が解決しようとする課題】
【０００９】
以下は、本願技術の基本的理解を供するための１つ以上の実施形態の簡単な要約である。この要約は、本願技術のすべての考えられ得る実施形態の広範な概要ではない。すべての例の重要な要素を特定することも、本願技術のすべての態様を記載することも意図していない。その目的は単に、以降で与えられるより詳細な説明の前段としての簡単な形式で１つ以上の例の概念を与えることに過ぎない。
【００１０】
ケーブル接続を特定するネットワークシステムが供される。当該ネットワークシステムは、管理サーバ、サーバ装置、及び記憶装置を有する。前記管理サーバは、システム管理ソフトウエアを有する。前記サーバ装置は、前記管理サーバに接続される。前記サーバ装置は、前記管理サーバのシステム管理ソフトウエアとやり取りするように構成されるＢＭＣを有する。前記記憶装置は、該記憶装置を前記サーバ装置に接続するストレージケーブルを受けるように構成される少なくとも１つのケーブルポートを有する。前記ケーブルポートは、不揮発性メモリ、インジケータ光、及びＩＣ間（Ｉ２Ｃ）バスを有する。
【００１１】
一部の実施形態では、前記サーバ装置は、ローカルエリアネットワークを介して前記管理サーバとやり取りを行うように結合される。
【００１２】
一部の実施形態では、前記記憶装置はＤＡＳストレージであってよい。一部の実施形態では、前記ストレージケーブルはＭｉｎｉＳＡＳ  ＨＤケーブルを有してよい。一部の実施形態では、前記不揮発性メモリは、電気的に消去／再書き込み可能な読み取り専用メモリ（ＥＥＰＲＯＭ）であってよい。一部の実施形態では、前記インジケータ光は発光ダイオード（ＬＥＤ）を有してよい。
【００１３】
一部の実施形態では、前記記憶装置は、ＲＡＩＤアレイとして、ＪＢＯＤ（ただのディスクの束）、ＪＢＯＦ（ただのフラッシュの束）、ＪＢＯＧ（ただのＧＰＵの束）、又は上記の結合を含んでよい。一部の実施形態では、前記システム管理ソフトウエアは、前記サーバ装置のＢＭＣへＩＰＭＩ  ＯＥＭ命令を送るように構成されてよい。前記ＩＰＭＩ  ＯＥＭ命令は、前記ストレージケーブルのケーブルＩＤを有してよい。一部の実施形態では、前記ストレージケーブルはＭｉｎｉＳＡＳ  ＨＤケーブルを有してよい。一部の実施形態では、前記ＭｉｎｉＳＡＳ  ＨＤケーブルは、少なくとも１つの前記記憶装置のケーブルポートを前記サーバ装置のイーサネット（登録商標）ネットワークインターフェースへ接続してよい。
【００１４】
ケーブル接続を認証する方法も供される。当該方法は、ケーブルＩＤを有するＩＰＭＩ  ＯＥＭ命令をサーバ装置上のＢＭＣで受ける段階を有する。当該方法はまた、前記の受けたケーブルＩＤと一致する記憶装置の不揮発性メモリの予約ビット値を前記ＢＭＣから受ける段階をも有する。当該方法はまた、前記記憶装置に挿入されたストレージケーブルからケーブルＩＤを検出する段階をも有する。しかも当該方法は、前記ストレージケーブルから前記ケーブルＩＤが前記の受けたケーブルＩＤと一致するのか否かを判断する段階を有する。当該方法はまた、前記ストレージケーブルから前記ケーブルＩＤが前記の受けたケーブルＩＤと一致すると判断するときに、前記記憶装置でインジケータ光を始動させる段階をも有する。あるいはその代わりに当該方法は、前記ストレージケーブルから前記ケーブルＩＤが前記の受けたケーブルＩＤと一致しないと判断するときに、前記記憶装置でインジケータ光を不稼働にする段階をも有する。
【００１５】
本開示の上述及び他の利点並びに特徴を得ることのできる方法を説明するため、添付図面に表されている具体例を参照しながら、上述の原理をより具体的に説明する。これらの図は、本開示の典型的な態様しか表していないので、本開示を限定するものと解されてはならない。これらの原理は、以下の図面を利用しながらさらに具体的かつ詳細に説明する。
【図面の簡単な説明】
【００１６】
【図１Ａ】本開示の実施形態による典型的なネットワークシステムの図を表している。
【図１Ｂ】本開示の実施形態による図１Ａのネットワークシステムのケーブルポートを表している。
【図２】本開示の実施形態による図１Ａのネットワークシステム１００を用いてケーブルＩＤを認証する処理を表すフローチャートを示している。
【図３】本開示の実施形態によるサーバ装置から記憶装置へのストレージケーブルのケーブル接続を取り外す処理を表すフローチャートを示している。
【発明を実施するための形態】
【００１７】
本発明については、添付図面を参照しながら説明する。同様又は等価な構成要素を示す際、全図を通じて同様の参照番号が用いられている。図は正しい縮尺で描かれておらず、単に本発明を例示するために供されている。本発明の複数の態様については、例示目的で典型的な応用例を参照しながら以降で説明する。多数の具体的詳細、関係、及び方法は、本発明の完全な理解を与えるために開示されていることに留意して欲しい。しかし当業者は、１つ以上の具体的詳細や他の方法を欠いても本発明が実施できることを容易に理解する。場合によっては、本発明が曖昧になることを避けるために、周知構造又は操作については詳細に示していない。本発明は、表された作用又は事象の順序に限定されない。作用の中には、異なる順序及び／又は他の作用若しくは事象と同時に起こっても良い。さらにすべての表された作用又は事象が、本発明による方法を実施するのに必須な訳ではない。
【００１８】
本開示によるネットワークシステムは、データセンター、サーバ装置、及び記憶装置を有してよい。データセンターは、システム管理ソフトウエアを有してよい。サーバ装置は、データセンターに接続されてよい。サーバ装置は、データセンターのシステム管理ソフトウエアとやり取りするように構成されるＢＭＣを有してよい。記憶装置は、該記憶装置をサーバ装置に接続するストレージケーブルを受けるように構成される少なくとも１つのケーブルポートを有してよい。ケーブルポートは、不揮発性メモリ、インジケータ光、及びＩ２Ｃバスを有してよい。
【００１９】
図１Ａは、本開示の実施形態による典型的なネットワークシステム１００の簡単なブロック図を表している。ネットワークシステム１００は、管理サーバ１３０、サーバ装置１６０、及び直接族ストレージ（以降「ＤＡＳストレージ」と表記する。）１９０を有する。例として、ネットワークシステム１００は、インテリジェントプラットフォーム管理バス（ＩＰＭＢ）として構成されてよい。他の実施形態では、ＤＡＳストレージ１９０は、ＪＢＯＦ（「ただのフラッシュの束」）、又は、独立ディスクの冗長配列（ＲＡＩＤ）として機能するように構成されなかった固体ドライブの集合として構成されてよい。代替実施形態では、ＤＡＳストレージ１９０は、ＪＢＯＧ（「ただのＧＰＵの束」）、又は、画像処理装置の集合として構成されてよい。当業者は、ＤＡＳストレージ１９０がＲＡＩＤアレイの任意の結合を含んでよいことを理解することに留意して欲しい。
【００２０】
管理サーバ１３０は、イーサネットインターフェース１３１を有してよい。管理サーバ１３０はまた、システム管理ソフトウエア１３５をも有してよい。イーサネットインターフェース１３１は、ローカルエリアネットワーク（以降、ＬＡＮと表記する。）１１０に接続するように構成されてよい。他の実施形態では、他のネットワークが実装されてよい。たとえば一部の実施形態では、ワイドエリアネットワーク（ＷＡＮ）が実装されてよい。サーバ装置１６０は、ＬＡＮ１１０へ接続するように構成される。サーバ装置１６０は、管理サーバ１３０でシステム管理ツールすなわちソフトウエア１３５へ伝達するように構成されてよい。管理サーバ１３０は、ＬＡＮ１１０を介してインテリジェントプラットフォーム管理インターフェース（ＩＰＭＩ）のオーイーエム（ＯＥＭ）命令（以降、「ＩＰＭＩ  ＯＥＭ命令」と表記する。）をサーバ装置１６０へ送るように構成されてよい。これについては図２を参照しながら以降でより詳細に論じる。
【００２１】
サーバ装置１６０、ベースボード管理制御装置（以降、「ＢＭＣ」と表記する）１６５を有してよい。ＢＭＣ１６５は、ＩＰＭＩアーキテクチャ（ネットワークシステム１００）内にインテリジェンスを供するように構成されてよい。ＢＭＣ１６５は、サーバ装置１６０のマザーボード（図示されていない）上に埋め込まれた専用マイクロ制御装置であってよい。ＢＭＣ１６５は、システム管理ソフトウエア１３５とサーバ装置１６０のプラットフォームハードウエアとの間のインターフェースを管理するように構成されてよい。
【００２２】
たとえばＢＭＣ１６５は、様々なパラメータ−たとえば温度、冷却ファンの速度、電源状態、ＯＳの状態等−についてサーバ装置１６０内部のセンサから報告を受けてよい。ＢＭＣ１６５は、センサを監視し、かつ、いずれかのパラメータが限界を超える場合、ＬＡＮ１１０を介してシステム管理ソフトウエア１３５へ警告を送ることで、システムの故障を恐れがあることを示唆してよい。システム管理ソフトウエア１３５を利用する管理者はまた、補修処理を行うようにＢＭＣ１６５と遠隔的にやり取りしてもよい。
【００２３】
サーバ装置１６０はまた、イーサネットネットワークインターフェース１６１をも有してよい。イーサネットネットワークインターフェース１６１は、ＰＣＩエキスプレス（ＰＣＩｅ）カード（図示されていない）、又は、他の種類の高速シリアルコンピュータ拡張バス基準を受けるように構成されるポートを有してよい。イーサネットネットワークインターフェース１６１はまた、ＭｉｎｉＳＡＳ  ＨＤケーブルポート（図示されていない）をも有してよい。ＭｉｎｉＳＡＳ  ＨＤケーブルポートは、６Ｇｂ／ｓ，１２Ｇｂ／ｓ，及び１４Ｇｂ／ｓのチャネル帯域を供してよい。ＤＡＳストレージ１９０はケーブルポート１８１Ｎを有してよい。
【００２４】
図１Ｂは、本開示の実施形態による典型的なネットワークシステム１００の複数のケーブルポート１８１Ｎを表している。ケーブルポート１８１Ｎはまた、ＭｉｎｉＳＡＳ  ＨＤケーブルポートとして構成されてもよい。ケーブルポート１８１Ｎは、インジケータ光１８０Ｎを備えるように構成されてよい。インジケータ光１８０Ｎは発光ダイオード（ＬＥＤ）であってよい。ここでは他の種類のインジケータ光が実装されてよい。ケーブルポート１８１Ｎはまた、不揮発性メモリ１９１Ｎを備えるように構成されてもよい。不揮発性メモリ１９１Ｎは、電気的に消去／再書き込み可能な読み取り専用メモリ（ＥＥＰＲＯＭ）として構成されてよい。不揮発性メモリ１９１Ｎは、コンピュータで用いられる任意の不揮発性メモリ、及び、相対的に少量のデータを記憶するが個々のバイトが消去も再書き込みも可能である他の電子デバイスを有し得ることを当業者は理解する。ケーブルポート１８１Ｎはまた、ＩＣ間（Ｉ２Ｃ）バス１９５Ｎを備えるように構成されてよい。
【００２５】
Ｉ２Ｃバス１９５Ｎは、不揮発性メモリ１９１Ｎとサーバ装置１６０のＢＭＣ１６５との間の通信リンクを供する双方向二配線シリアルバスである。具体的には、Ｉ２Ｃバス１９５Ｎは、双方向データ（ＳＤＡ）ライン及び一方向シリアルクロック（ＳＣＬ）ライン（図示されていない）を有する。この構成によって、オープンドレイン、マルチドロップバスが可能となる。このことは、複数のデバイスが、バスに接続され、かつ、互いにやり取りし得ることを意味する。バスマスターは、メッセージの第１バイト内のこのアドレスを送信して、そのメッセージの受信を特定する。
【００２６】
再度図１を参照すると、サーバ装置１６０は、ストレージケーブル１７０によってＤＡＳストレージ１９０に接続されてよい。ストレージケーブル１７０は、ＭｉｎｉＳＡＳ  ＨＤケーブルとして構成されてよい。ストレージケーブル１７０は、ＤＡＳストレージ１９０のケーブルポート１８１Ｎを、サーバ装置１６０のイーサネットネットワークインターフェース１６１へ接続してよい。サーバ装置１６０はまた、管理サーバ１３０でシステム管理ソフトウエア１３５へ伝達するためにＬＡＮ１１０に接続するようにも構成される。ＢＭＣ１６５への物理インターフェースは、ＢＭＣ１６５がシステム管理ソフトウエア１３５からのＩＰＭＩ  ＯＥＭ命令１２０を受け入れることを可能にするインテリジェントプラットフォーム管理バス（ＩＰＭＢ）を有してよい。
【００２７】
図２は、図１のネットワークシステム１００を用いてケーブルＩＤを認証する処理２００を表すフローチャートを示している。図２で見て取れるように、処理２００は、段階２０１でのシステム管理ソフトウエア１３５とＢＭＣ１６５との間でのやり取りで始まる。システム管理ソフトウエア１３５は、サーバ装置１６０のＢＭＣ１６５へＩＰＭＩ  ＯＥＭ命令１２０を送るように構成されてよい。ＩＰＭＩ  ＯＥＭ命令１２０は、イーサネットネットワークインターフェース１６１を介してＢＭＣ１６５によって受け取られてよい。ＩＰＭＩ  ＯＥＭ命令１２０は、ケーブルＩＤを有してよい。
【００２８】
ケーブルＩＤを受け取ると、処理２００は段階２０２へ進む。段階２０２では、ＢＭＣ１６５は、Ｉ２Ｃバス１９５Ｎを介してＤＡＳストレージ１９０の不揮発性メモリ１９１Ｎとやり取りしてよい。たとえばＢＭＣ１６５は、受けたケーブルＩＤと一致するように不揮発性メモリのＤＡＳストレージの予約ビットの値を設定してよい。一部の実施形態では、ケーブルＩＤを認証するとき、ビット値は、イネーブルでは“１”でディスエーブルでは“０”に設定されてよい。段階２０３では、ストレージケーブル１７０がＤＡＳストレージ１９０に接続されるとき、不揮発性メモリ１９１Ｎは、ストレージケーブル１７０のケーブルＩＤを検出し得る。段階２０４では、ストレージケーブル１７０のケーブルＩＤが受け取ったケーブルＩＤと一致するか否かが判断される。ストレージケーブル１７０のケーブルＩＤが受け取ったケーブルＩＤと一致する場合、処理２００は、段階２０４から段階２０５へ進む。段階２０５では、ＤＡＳストレージ１９０は、ケーブルが正しいことを示すようにインジケータ光１８０Ｎを始動させる。逆にストレージケーブル１７０のケーブルＩＤが受け取ったケーブルＩＤと一致しない場合、処理２００は、段階２０４から段階２０６へ進む。段階２０６では、ＤＡＳストレージ１９０は、ケーブルが正しくないことを示すようにインジケータ光１８０Ｎを不稼働にしてよい。
【００２９】
図３は、サーバ装置から、図１のネットワークシステム１００で例示されている記憶装置へのストレージケーブルのケーブル接続を取り外す処理３００を表すフローチャートを示している。図３からわかるように、処理は、段階３０１での管理サーバ１３０のシステム管理ソフトウエア１３５とサーバ装置１６０のＢＭＣ１６５との間でのやり取りで開始する。システム管理ソフトウエア１３５は、特定のストレージケーブル１７０に係るインジケータ光１８０Ｎを始動させるようにＢＭＣ１６５へ命令を送る。たとえば管理サーバ１３０で操作する管理者は、保守のためにストレージケーブル１７０がＤＡＳストレージ１９０への接続が切断されるべきという判断をしてよい。管理者は、対応するインジケータ光１８０Ｎを介して適切なストレージケーブル１７０を特定するようにシステム管理ソフトウエア１３５を実装してよい。インジケータ光１８０Ｎは、発光するように始動されてよい。インジケータ光１８０Ｎが発光することで、対応するストレージケーブル１７０を物理的に取り外す管理者へ視覚的示唆を与えることができる。
【００３０】
処理３００は、インジケータ光１８０Ｎが発光するか否かの判断がなされる３０２へ進む。たとえば管理者は、ＤＡＳストレージ１９０の保守点検を行い、かつ、インジケータ光１８０Ｎが発光するか否かを判断してよい。インジケータ光１８０Ｎが発光しないと判断すると、処理は３０３へ進む。段階３０３では、どのインジケータ光１８０Ｎが発光しているのかを判断する段階３０２での評価が繰り返される。逆にインジケータ光１８０Ｎが発光していると判断される場合、処理は３０４へ進む。段階３０４では、ストレージケーブル１７０は、ＤＡＳストレージ１９０のケーブルポート１８１Ｎから取り外される。
【００３１】
本開示のこれまでの記載は、当業者が本開示を実施又は利用することを可能にするために与えられる。本開示に対する様々な修正型は当業者には容易に自明となり、かつ、本開示で明らかにされる一般的原則は、本開示の技術的範囲から逸脱することなく他の変化型にも適用され得る。よって本開示は、本開示で説明した例及び設計に限定されることを意図せず、本開示の原則及び新規な特徴と整合する最も広い技術的範囲となる。
【図１Ａ】
2019220128.tif 000003
【図１Ｂ】
2019220128.tif 000004
【図２】
2019220128.tif 000005
【図３】
2019220128.tif 000006
【外国語明細書】
2019220128000001.pdf